(57)【要約】      （修正有）【課題】庫内の冷却された空気による回転仕切り体の前面板の冷却を抑制することを可能にした冷蔵庫を提供する。【解決手段】貯蔵室の開口部の両側に一側部が支持されて観音開きに回動し、開口部を開閉する一対の扉と、一対の扉の何れか一方の扉の貯蔵室中央側の端部の内面側に側部に沿って上下方向に延びるように形成された回転仕切り体４とを備える。回転仕切り体４は、扉の裏面側に対向するようにして設けられた前面板７を備え、回転仕切り体４の外体５の側面には樹脂成型品６が取り付けられ、扉の中央側の側面内壁に良熱伝導材料１１が配設される。【選択図】図３
2011064428.tif 000002
【特許請求の範囲】
【請求項１】
前面に開口部を有する貯蔵室と、
該貯蔵室の開口部の両側に一側部が支持されて観音開きに回動し、前記開口部を開閉する一対の扉と、
前記一対の扉の何れか一方の扉の貯蔵室中央側の端部の内面側に回動可能に取り付けられた回転仕切り体とを備え、
前記回転仕切り体は、前記扉の裏面側に対向するようにして設けられた前面部材を備え、
前記回転仕切り体の側面には、前記前面部材と面一となる形状を含んで該回転仕切り体の幅方向に膨出した膨出部が形成され、
前記一対の扉体の中央側の側面内壁に熱伝導板が配設された
ことを特徴とする冷蔵庫。
【請求項２】
前記回転仕切り体は、
前記前面板の他に、断熱体と、該断熱体を覆う断面コ字状の枠体とを備え、
前記前面板が、前記枠体の開放部分に前記扉の裏面側に対向するように設けられ、該枠体とともに前記断熱体を覆う
ことを特徴とする請求項１記載の冷蔵庫。
【請求項３】
前記膨出部は、前記回転仕切り体とは別部品から構成され、前記回転仕切り体に着脱自在に装着されることを特徴とする請求項１又は２記載の冷蔵庫。
【請求項４】
前記前面部材の突出部は板金部材で形成されていることを特徴とする請求項１〜３の何れか一項に記載の冷蔵庫。
【請求項５】
前記前面部材の突出部内に配設されたヒータを備えたことを特徴とする請求項１〜４の何れかに記載の冷蔵庫。
【請求項６】
前記膨出部は、樹脂部材で形成されていることを特徴とする請求項１〜５の何れか一項に記載の冷蔵庫。
【請求項７】
前記仕切り体は、前記別部品を取り外し可能にする係合部を備えたことを特徴とする請求項３に記載の冷蔵庫。
【発明の詳細な説明】
【技術分野】
【０００１】
この発明は、貯蔵室の開口部に観音開きの一対の扉を備えた冷蔵庫に関し、特に、扉の内側に取り付けられた回転式仕切り体の構成に関する。なお、この発明に係る冷蔵庫は、冷凍庫、保管庫、保冷庫等も含むものとする。
【背景技術】
【０００２】
従来、この観音開きの一対の扉を備えた冷蔵庫には、例えば「冷蔵庫等に設けられた収容室と、この収容室の開口部の左右両側にそれぞれの一側部が枢支され、水平方向の回動により前記開口部を開閉する観音開き式の第１及び第２の扉と、これら第１及び第２の扉のうちの第１の扉における反枢支側の側部の内面側に該側部に沿って上下方向に延びるように取り付けられ、前記側部から側方へ突出する突出位置と後方側へ折り畳まれた退避位置との間で回動が可能な仕切体と、…」を備えたものが提案されている。
【先行技術文献】
【特許文献】
【０００３】
【特許文献１】特開平７−２３４０６８号公報（請求項１、図３、図６）
【発明の概要】
【発明が解決しようとする課題】
【０００４】
上記の従来技術（特許文献１）の冷蔵庫において、結露防止のために設けられた仕切り体は、樹脂成形品の外枠と、板金で形成され外枠に係合される前面板と、前面板の裏面に配設された露付き防止用ヒータと、主に発泡スチロールで形成された断熱材とから構成されている。しかし、この仕切り体では、庫内側の冷やされた空気が前面板に直に触れていまい、前面板の温度が低下し結露してしまう、という問題点があった。
【０００５】
この発明は、このような問題点を解決するためになされたものであり、庫内の冷却された空気による回転仕切り体の前面板の冷却を抑制することを可能にした冷蔵庫を提供することを目的とする。
【課題を解決するための手段】
【０００６】
この発明に係る冷蔵庫は、前面に開口部を有する貯蔵室と、貯蔵室の開口部の両側に一側部が支持されて観音開きに回動し、開口部を開閉する一対の扉と、一対の扉の何れか一方の扉の貯蔵室中央側の端部の内面側に回動可能に取り付けられた回転仕切り体とを備える。回転仕切り体は、扉の裏面側に対向するようにして設けられた前面部材を備え、回転仕切り体の側面には、前面部材と面一となる形状を含んで回転仕切り体の幅方向に膨出した膨出部が形成され、一対の扉体の中央側の側面内壁に熱伝導板が配設される。
【発明の効果】
【０００７】
この発明に係る冷蔵庫によれば、回転仕切り体の側面には、前面部材と面一となるようにして回転仕切り体の幅方向に膨出した膨出部が形成されており、このため、冷蔵室の冷却された空気が前面部材側に回り込む際に膨出部があると、その膨出部を経由しなければならず、冷却された空気が前面部材に直接触れないので、前面部材の温度低下を抑制することができる。また、一対の扉体の中央側の側面内壁に熱伝導板が配設されているので、前面部材が外気の熱を受けやすい状態になり、この点からも前面部材の温度低下を抑制することができる。
【図面の簡単な説明】
【０００８】
【図１】この発明の実施の形態１に係る冷蔵庫の外観を示す図である。
【図２】図１の冷蔵庫の横断面を示す図である。
【図３】図２の回転仕切り体付近の詳細断面を示す図である。
【図４】図３のＰ部の拡大図である。
【発明を実施するための形態】
【０００９】
実施の形態１．
図１は、この発明の実施の形態１における冷蔵庫の外観図、図２は、図１の冷蔵庫の横断面図、図３は、図２の回転仕切り体付近の詳細図である。図４は、図３のＰ部の拡大図である。
【００１０】
図１において、冷蔵庫本体１には、冷蔵室左扉２、冷蔵室右扉３、引き出し式の扉２１、２２、２３、２４が設けられている。冷蔵室左扉２及び冷蔵室右扉３は、冷蔵庫本体１に形成された貯蔵室の前面側の開口部を開閉するためのものであり、開口部の両端に回動自在に支持されて観音開きの扉を構成している。冷蔵室左扉２の貯蔵室中央側の端部の内面側には、図２に示されるように、回転仕切り体４が取り付けられている。回転仕切り体４は、冷蔵室内と外気間の空気の流れを遮断する機能をもっており、側部から側方へ突出する突起位置と後方に折り畳まれて待避する待避位置との間で回動が可能になっている。なお、図２及び図３は回転仕切り体４が突起位置にある状態を示している。
【００１１】
回転仕切り体４は、貯蔵室の上部及び下部において回動自在に支持されており、冷蔵室左扉２及び冷蔵室右扉３が閉じられている状態においては、冷蔵室左扉２と冷蔵室右扉３との間に形成される隙間に対向する位置にあり（突起位置）、冷蔵室内と外気間の空気の流れを遮断している。冷蔵室左扉２を開ける動作をすると、冷蔵室左扉２の開放動作に伴って回転仕切り体４も回動して待避する。図２の例では矢印Ａの方向に回動し、冷蔵室左扉２が開けられる。
【００１２】
回転仕切り体４は、図３に示されるように、冷蔵室左扉２の貯蔵室中央側の端部の内面側にその側部に沿って上下方向に延びるように形成され（冷蔵室左扉２の高さ方向に沿って形成されており）、全体としては細長い直方体形状をなしている。そして、回転仕切り体４は、図３に示されるように、外枠５、樹脂成形品６、前面板７、露付き防止用ヒーター８及び断熱材９を備えている。
【００１３】
外枠５は、樹脂成形品からなり、横断面が断面コ字状（一辺が開放されている）をなしており、図４に示されるように、外枠５の側部に樹脂成形品６を装着される係合部５ａが高さ方向に所定の間隔をもって形成されている。樹脂成形品６は、爪部６ａが外枠５の係合部５ａと同じ間隔をもって形成されており、爪部６ａが外枠５の係合部５ａに係合されることにより外枠５に係合される。特に、本実施の形態の樹脂成形品６は、横断面がコ字状に形成されており、その一部が前面板７と面一になるように外枠５に取り付けられている。なお、図４においては、樹脂成形品６の一方の端部に爪部６ａが形成されている例について説明したが、樹脂成形品６の他方の端部にも同様に爪部（図示せず）が形成されており、外枠５の係合部（図示せず）に係合している。
【００１４】
前面板７は、板金から構成され、その両端部が外枠５の開放されている辺にはめ込まれて係合されている。前面板７の中央部分には、冷蔵室扉２，３側に突起した突部７ａが高さ方向に沿って形成されている。
【００１５】
露付き防止用ヒーター８は、前面板７の突部７ａの裏面側に配設され、前面板７を加熱して結露の発生を防止する。
断熱材９は、発泡スチロールからなり、外枠５内に収納されて、外枠５と前面板７とによって覆われている。
【００１６】
また、冷蔵室左扉２及び冷蔵室右扉３は、図３に示されるように、板金で形成された扉外枠１０と、扉外枠１０の冷蔵庫中央側の側面に配設された良熱伝導材料１１と、樹脂で形成された内板１２と、内板に設けられた溝部に係合し、扉閉時に前面板７と磁力で密着するガスケット１３と、外枠１０と内板１２との間に充填された断熱材（例えば発泡ウレタン）１４とをそれぞれ備えている。なお、良熱伝導材料１１は例えばアルミ板から構成される。
【００１７】
次に、上記の冷蔵庫の動作について説明する。
このように構成された冷蔵庫本体１においては、冷蔵室内部が冷却されると外気の温度と冷蔵室内部の温度差により、回転仕切り体４の前面板７に露が発生する場合がある。このため、前面板７の表面の温度を露点温度以上に保つために、露付き防止用ヒーター８に通電して前面板７を加熱している。
【００１８】
また、冷蔵室内部で冷却された空気が回転仕切り体４の外枠５を回って前面板７に触れると、前面板７の表面温度が低下するため、露付き防止用ヒーター８の通電率を上げる必要があるが、本実施の形態においては、外枠５の側壁に係合された樹脂成形品６を設けたことにより前面板７の表面温度の低下を抑制することができる。即ち、冷却された空気は、樹脂成形品６及び外枠５を経由して前面板７に到達することになり、その回り込みの距離が増加し、前面板７に直接触れなくなり、前面板７に対する影響（温度低下）が抑制されることになる。
【００１９】
また、前面板７は扉側に突起した突部７ａを備えているので、外気の温度を受け易くなり、前面板７の表面温度が高まり、露付き防止用ヒーター８の通電率を下げることができる。さらに、この突部７ａは、回転仕切り体４の強度を向上させることができる。
【００２０】
また、扉外枠１０の側面には良熱伝導材料１１が配設されているので、外気の温度に温められた冷蔵室左扉２及び冷蔵室右扉３の表面の温度を前面板７に伝達することができる。この点からも、前面板７の表面温度の低下を抑制することができる。
【００２１】
なお、上記の実施の形態においては、本発明の膨出部の一例として樹脂成形品６を外枠５に設けた例について説明したが、同一の機能を果たすものであれば外枠５と一体に形成したものであってもよい。また、その形状は、冷却された空気が、前面板７に到達するまでの距離を稼ぐものであればよく、その形状は図３に示された形状に限定されるものではない。
【符号の説明】
【００２２】
１  冷蔵庫本体、２  冷蔵室左扉、３  冷蔵室右扉、４  回転仕切り体、５  回転仕切り体外枠、６  樹脂成型品、７  前面板、８  露付き防止用ヒーター、９  断熱材、１０  扉外枠、１１  良熱伝導材料、１２  扉内板、１３  ガスケット、１４  断熱材。
【図１】
2011064428.tif 000003
【図２】
2011064428.tif 000004
【図３】
2011064428.tif 000005
【図４】
2011064428.tif 000006